(57)【要約】      （修正有）【課題】フィット感と圧迫感との良好なバランスが得られ、広い範囲において温感を感じられ、均一な温まり感が得られるマスクを提供する。【解決手段】温熱具５０は、両目を覆うマスク本体部５１と本体部に設けられた発熱体１００と本体部の長手方向両端部にそれぞれ接合され、本体部により着用者の両目を覆うように保持する耳掛部５２Ｌ、５２Ｒとを備え、以下の条件を満たす。（ｉ）耳掛部が耳掛け用の孔５４を有し、孔の最大長さをＬａとし、一方の孔の本体部側の端部から、他方の孔の本体部側の端部までの長さをＬｂとしたとき、（Ｌａ×２＋Ｌｂ）＜２８５であり、（ｉｉ）本体部を長手方向に４ｃｍ伸長したときの応力が７０Ｎ未満であり、（ｉｉｉ）以下の式で表される、耳掛部のＬａ方向における応力変化率が３５％以上である。応力変化率（％）＝｛〔１００％伸長時応力（Ｎ）〕―〔１０％戻り伸長時応力（Ｎ）〕／１００％伸長時応力（Ｎ）｝×１００【選択図】図１
2019118811.tif 000002
【特許請求の範囲】
【請求項１】
両目を覆うマスク本体と、前記マスク本体に設けられた発熱体と、前記マスク本体の長手方向両端部にそれぞれ接合され、当該マスク本体により着用者の両目を覆うように保持する一対の耳掛け部と、を備え、以下の条件を満たす、マスク。
（条件）
（ｉ）前記耳掛け部が耳掛け用の開口部を有し、当該開口部の最大長さをＬａ（ｍｍ）とし、一方の当該開口部のＬａ（ｍｍ）における前記マスク本体側の端部から、他方の当該開口部のＬａ（ｍｍ）における前記マスク本体側の端部までの長さをＬｂ（ｍｍ）としたとき、（Ｌａ×２＋Ｌｂ）＜２８５であり、
（ｉｉ）前記マスク本体を長手方向に４ｃｍ伸長したときの応力が７０Ｎ未満であり、
（ｉｉｉ）以下の式（１）で表される、前記耳掛け部の前記Ｌａ方向における応力変化率が３５％以上である。
応力変化率（％）＝｛〔１００％伸長時応力（Ｎ）〕―〔１０％戻り伸長時応力（Ｎ）〕／１００％伸長時応力（Ｎ）｝×１００        （１）
【請求項２】
前記マスク本体の長手方向中央における短手方向の長さをＬｃ（ｍｍ）としたとき、
Ｌｃ／（Ｌａ×２＋Ｌｂ）が、０．２以上０．４以下である、請求項１に記載のマスク。
【請求項３】
前記耳掛け部の前記Ｌａ方向における１００％伸長時応力（Ｎ）が２以上である、請求項１または２に記載のマスク。
【請求項４】
前記耳掛け部は不織布である、請求項１乃至３のいずれか一項に記載のマスク。
【請求項５】
前記発熱体は、被酸化性金属の酸化反応により水蒸気を発生する、請求項１乃至４のいずれか一項に記載のマスク。
【請求項６】
前記発熱体が一対であり、各々により両目が覆われるように配置されている、請求項１乃至５のいずれか一項に記載のマスク。
【発明の詳細な説明】
【技術分野】
【０００１】
本発明は、マスクに関する。
【背景技術】
【０００２】
近年、目および目元を覆うマスクの機能が多様化し、様々なマスクが開発されている。例えば、被酸化性金属の酸化反応により生じる酸化熱を利用した発熱体を内部に収容したアイマスクタイプの温熱具が利用されている。アイマスクタイプの温熱具は、発熱体により着用者の目を温め、左右の耳に一対の耳掛け部をひっかけて使用され、軽量で簡便に用いられること等から、広く好まれている。
【０００３】
一方で、アイマスクに対する期待はますます高まっている。たとえば、特許文献１には、耳掛け部を耳にかけやすく、マスク本体を顔にフィットさせやすくする観点から、耳掛け部連結部の位置や開口部の形状、およびスリット等を特定したアイマスクタイプの温熱具が開示されている。
【先行技術文献】
【特許文献】
【０００４】
【特許文献１】特開２００８−２９５７７９号公報
【発明の概要】
【発明が解決しようとする課題】
【０００５】
しかしながら、近年、アイマスクタイプの温熱具の使用態様が多様化し、着用者が上体を起こして使用する態様だけではなく、仰臥位であったり、さらには側臥位で使用する態様も生じてきた。そのため、特許文献１に開示されるような従来のアイマスクタイプの温熱具においては、側臥位で使用した場合、マスクが横ずれし、マスクと着用者との間に隙間ができ、マスク本来が有する温め効果が十分に得られにくくなるという新たな課題が生じた。詳細には、温熱具内に収容される発熱体の剛性により、着用者の目元から鼻周辺の形状に沿ってマスクが密着することが難しく、着用者が横向きになった場合において、着用者とマスクとの間に隙間が発生しやすかった。
【０００６】
ここで、アイマスクタイプの温熱具の横ずれを抑制するために、特段の工夫をすることなく、たとえば、マスクの横幅方向の長さを縮めて着用者の顔にマスクを密着させようとした場合には、着用者の耳掛部が装着された部分や耳裏において耳掛部による応力が高くなり、圧迫感が生じる傾向があった。
そこで、本発明者は、従来よりもマスクの横幅方向の長さを縮めても、耳掛部が装着された部分や耳裏における圧迫感を低減しつつ、側臥位の場合でもマスクの位置ずれを抑制する観点から鋭意検討を行ったところ、マスクを着用した際、着用者の目尻からこめかみ、目尻から耳たぶにかけての範囲を押さえつけないようにしつつ、着用者の眉付近をしっかり押さえることで、かかるマスクの横ずれを効果的に抑制し、フィット感を向上させつつ、圧迫感を低減できることを知見した。そして、マスクにおいて、フィット感と圧迫感との良好なバランスを得つつ、側臥位においても、広い範囲を均一に温めるという課題を解決する観点から、さらに検討を進めた結果、マスクが特定の条件を満たすことが当該課題を解決する指針として有効なことを見出し、本発明を完成した。
【課題を解決するための手段】
【０００７】
すなわち、本発明は、両目を覆うマスク本体と、前記マスク本体に設けられた発熱体と、前記マスク本体の長手方向両端部にそれぞれ接合され、当該マスク本体により着用者の両目を覆うように保持する一対の耳掛け部と、を備え、以下の条件を満たす、マスクを提供する。
（条件）
（ｉ）前記耳掛け部が耳掛け用の開口部を有し、当該開口部の最大長さをＬａ（ｍｍ）とし、一方の当該開口部のＬａ（ｍｍ）における前記マスク本体側の端部から、他方の当該開口部のＬａ（ｍｍ）における前記マスク本体側の端部までの長さをＬｂ（ｍｍ）としたとき、（Ｌａ×２＋Ｌｂ）＜２８５であり、
（ｉｉ）前記マスク本体を長手方向に４ｃｍ伸長したときの応力が７０Ｎ未満であり、
（ｉｉｉ）以下の式（１）で表される、前記耳掛け部の前記Ｌａ方向における応力変化率が３５％以上である。
応力変化率（％）＝｛〔１００％伸長時応力（Ｎ）〕―〔１０％戻り伸長時応力（Ｎ）〕／１００％伸長時応力（Ｎ）｝×１００        （１）
【発明の効果】
【０００８】
本発明によれば、フィット感と圧迫感との良好なバランスが得られるマスクを提供することができる。また、本発明のマスクは、従来よりも広い範囲を温め、また均一な温まり感が得られる。
【図面の簡単な説明】
【０００９】
【図１】実施形態に係る温熱具の耳掛け部を開いた状態を模式的に示した平面図である。
【図２】実施形態に係る温熱具の耳掛け部を開く前の状態を模式的に示した平面図である。
【図３】図１に示す温熱具の分解斜視図である。
【図４】実施形態に係る発熱体を模式的に示した平面図である。
【図５】実施形態に係る発熱体を模式的に示した断面図である。
【図６】温熱具の耳掛部の孔の変形例を示す平面図である。
【発明を実施するための形態】
【００１０】
以下、本発明の実施の形態について、図面を用いて説明する。尚、すべての図面において、同様な構成要素には同様の符号を付し、適宜説明を省略する。また、以下においては、本発明のマスクとして、いわゆるアイマスクタイプの温熱具である場合について説明する。
【００１１】
［温熱具］
まず、本実施形態に係る温熱具５０の一例について、図１〜図３に基づいて説明する。
本実施形態に係る温熱具５０は、アイマスクタイプのものであり、マスク本体部５１により着用者の両目を覆い、マスク本体部５１に設けられた一対の発熱体１００から、所定温度に加熱された水蒸気を目およびその周囲に付与するために用いられるものである。
【００１２】
図１に示すように、温熱具５０は、マスク本体部５１と、耳が挿入される孔５４（５４Ｌ、５４Ｒ）がそれぞれ形成された一対の耳掛部５２（５２Ｌ、５２Ｒ）とを有している。
【００１３】
温熱具５０は、各耳掛部５２を着用者の耳に掛けて、マスク本体部５１で着用者の両目を覆うように装着される。この着用状態下、後述する発熱体１００から発生した温熱蒸気が着用者の目に施されるように構成されている。
【００１４】
図２は、温熱具５０の耳掛部５２を開く前の状態を模式的に示した平面図である。同図において、一対の耳掛部５２は、温熱具５０の内方に向けて互いに折りたたまれ、マスク本体部５１縦中央部において、互いに接合されている。接合された領域には、ミシン目またはハーフカット溝が設けられている。すなわち、一連に形成された一対の耳掛部５２を２等分するようにミシン目またはハーフカット溝が設けられ、これを着用者が切り離することによって、耳掛部５２Ｌと、耳掛部５２Ｒとが得られるようになっている。その後、耳掛部５２Ｌと、耳掛部５２Ｒとを外方に向けて反転させることにより、図１の状態とすることができる。すなわち耳掛部５２は、マスク本体部５１の長手方向の両端部近傍それぞれから斜め下向きに展開される。図１に示すように、耳掛部５２をマスク本体部５１から外側に向かって開いたとき、耳掛部５２は、平面視においてハの字形状となっている。また、耳掛部５２をマスク本体部５１から外側に向かって開いたとき、孔５２がマスク本体部５１の長手方向に対して下方に傾いて延びている。
このような配置を取る事により、より一層着用時にマスク本体部５１が顔にフィットしやすくなる。
【００１５】
図３は、図１に示す温熱具５０の分解斜視図である。図３に示されるように、マスク本体部５１は袋体５３から構成され、袋体５３の内部に一対の発熱体１００が設けられている。
【００１６】
マスク本体部５１は、長手方向Ｘとこれに直交する幅方向Ｙを有する横長の形状であり、ほぼ左右対称である。また、マスク本体部５１は、可撓性の柔軟なシートにより構成されており、後述するように伸長性を有している。また、本体部５１は伸縮性を有していても有していなくてもよいが、眉付近に温熱具５０をしっかりと押さえつけ、フィット感をより一層強く感じさせる観点から、伸縮性がある方が好ましい。
【００１７】
マスク本体部５１を構成する袋体５３は、着用者の肌面に近い側に位置する第１袋体シート５３１と、着用者の肌面から遠い側に位置する第２袋体シート５３２とを有している。ここで、後述する発熱体１００を挟み込むように、第１袋体シート５３１と第２袋体シート５３２とが設けられる。
【００１８】
第１袋体シート５３１および第２袋体シート５３２は同形であり、略長円形をしている。そして、第１袋体シート５３１および第２袋体シート５３２の外形がマスク本体部５１の外形をなしている。第１袋体シート５３１および第２袋体シート５３２はそれらを重ね合わせ、それらの周縁部を少なくとも一部接合し、かつＹ方向の中央部をＸ方向に沿って接合することで、袋体５３となる。第１袋体シート５３１および第２袋体シート５３２を接合するためには、たとえばホットメルト接着剤を用いることができる。なお、発熱体１００は接着剤やヒートシール等により、袋体５３に固定されていてもよい。
【００１９】
第１袋体シート５３１および第２袋体シート５３２としては、伸長性を有し、内部の発熱体１００への空気の供給ができるものであればよく、たとえば、不織布をはじめとする繊維シートを使用できる。たとえば、ニードルパンチ不織布、エアスルー不織布およびスパンボンド不織布から選択される１種または２種以上を使用できる。
【００２０】
袋体５３には、そのＹ方向に延びる２つの長辺の中央部の位置において、該長辺からＸ方向に沿って内方に切れ込んだ略Ｖ字形のノッチ部５７（ノッチ部５７１、ノッチ部５７２）がそれぞれ形成されている。ノッチ部５７１、およびノッチ部５７２は、切れ込みの程度が異なっている。ノッチ部５７１は、温熱具５０を装着したときに、着用者の眉間またはその近傍に位置する。ノッチ部５７２は、温熱具５０を装着したときに、着用者の鼻梁に位置する。したがって、通常、ノッチ部５７１よりもノッチ部５７２の方が切れ込みの程度が大きくなっている。
さらに、図１に示すように、袋体５３には、ノッチ部５７２に繋がるスリットが、袋体５３中央部であって発熱体１００を離隔する領域において、袋体５３の下端から延在している。
【００２１】
温熱具５０における耳掛部５２は、使用前の状態では、図３に示すように、第１袋体シート５３１上に配置されている。使用前の状態、すなわち左右の耳掛部５２が第１袋体シート５３１上に位置している状態においては、左右の耳掛部５２によって形成される輪郭は、第１袋体シート５３１の輪郭とほぼ同じになっている。
【００２２】
耳掛部５２は、温熱具５０を着用者の顔に保持するための機能を有する。
耳掛部５２は一対で用いられ、耳掛部５２Ｌ、耳掛部５２Ｒは、マスク本体部５１の長手方向（Ｘ方向）の各端部にそれぞれ取り付けられている。より詳細には、耳掛部５２において、マスク本体部５１側を基端とし、マスク本体部５１から遠い側を先端としたとき、耳掛部５２の基端側の領域と、マスク本体部５１の着用者側のシート（第１袋体シート５３１）とが接合されている。
また、耳掛部５２Ｌ、および耳掛部５２Ｒとはそれぞれマスク本体部５１と重なり合う接合領域を有している。
【００２３】
耳掛部５２は、横幅方向に伸長性を有することが好ましい。
耳掛部５２は、単層のシートにより構成されていてもよいし、複数のシートの積層体であってもよい。耳掛部５２としては、不織布等の繊維材料からなる繊維シートを用いることができる。耳掛部５２は、上述した袋体５３と同様の材料を用いたものであってもよいし、異なる材料を用いたものであってよい。
【００２４】
一対の耳掛部５２の平面形状は特に限定されないが、マスク本体部５１を縦中央線で二等分したときのマスク本体部５１の右側の平面形状と左側の平面形状とそれぞれ同一の形状であることが好ましい。例えば、略正方形状が挙げられる。
【００２５】
孔５４は、耳掛部５２を着用者の耳にかけるための穴であり、耳掛部５２を貫通している開口である。孔５４は、耳掛部５２のほぼ中央に設けられている。また、孔５４は、マスク本体部５１と耳掛部５２とが接合した接合領域を除く領域に形成されている。
【００２６】
孔５４の形状は、特に限定されないが、図１，２においては、横幅方向に長尺であり、耳掛部５２の基端から先端に向かって広がる角丸略三角状（しずく状）となっている。また、孔５４は、上下対称であっても対称でなくてもよい。すなわち、上下において曲率半径が同じでも異なっていてもよい。
また、孔５４は耳掛け部５２をマスク本体部５１から外側に向かって開いた時、孔５４がマスク本体部５１の長手方向に対して下方に延びて傾いている。
【００２７】
［発熱体］
つぎに、温熱具５０に備えられる発熱体１００について説明する。本実施形態において、一対の発熱体１００が温熱具５０に配され、それぞれの発熱体１００が着用者の目を覆うこととなる。
【００２８】
発熱体１００の平面形状は、略正方形である。発熱体１００の剛性は、マスク本体部５１の剛性よりも大きく、発熱体１００全体はマスク本体部５１よりも伸縮しにくい。
【００２９】
図４は、本実施形態の発熱体１００の一例を示す平面図である。また、図５は、図４のＡ−Ａ断面図である。本実施形態の発熱体１００は、発熱部１０と、発熱部１０を収容する収容体２０とを備える。
【００３０】
発熱部１０は、被酸化性金属、炭素成分、吸水剤、水および反応促進剤等を含む。
具体的には、発熱部１０は、被酸化性金属の酸化反応によって発熱して温熱効果を付与するものであり、ＪＩＳ  Ｓ４１００に準拠した測定において、発熱温度３０℃以上７０℃以下の性能を有するものを使用することができる。また、発熱部１０は含まれる水が加熱されることにより、水蒸気を発生するという作用をもたらす。
【００３１】
被酸化性金属は、酸化反応熱を発する金属であり、たとえば、鉄、アルミニウム、亜鉛、マンガン、マグネシウム、およびカルシウムからなる群から選ばれる１種または２種以上の金属の粉末や繊維が挙げられる。
【００３２】
炭素成分は、保水能、酸素供給能、および触媒能を有するものであり、たとえば、活性炭、カーボンブラック、アセチレンブラック、および黒鉛からなる群から選ばれる１種または２種以上の材料を用いることができる。
【００３３】
発熱部１０中には、水分を保持し、被酸化性金属の酸化反応を効率よく進行させるため、吸水剤を含ませることができる。吸水剤として、吸水性を有するポリマーや、吸水性を有する粉体を用いることができる。
【００３４】
本実施形態においては発熱部１０がシート状である態様を示したが、この発熱部１０は、粉体状であってもよいし、シート状であってもよい。しかしながら、使用感に優れる点から、シート状であることが好ましい。
このようなシート状の発熱体は、繊維と共に抄造する方法、塗工する方法、プレス等で圧密する方法など、任意の方法で得られる。
【００３５】
発熱部１０の厚みは、適度な剛性を得る観点から、好ましくは０．２ｍｍ以上であり、より好ましくは０．４ｍｍ以上であり、さらに好ましくは０．５ｍｍ以上である。また、発熱部１０の厚みは、取扱い性を良好にする観点から、好ましくは５ｍｍ以下であり、より好ましくは３ｍｍ以下であり、さらに好ましくは２ｍｍ以下である。
発熱部１０の厚みを上記範囲とすることで、発熱効果を高めつつ、発熱体１００を使用しやすいサイズにすることができる。また、発熱部１０においては、適度な剛性を有するため、マスク装着時にフィット感をより強く感じる事ができる。
なお、この発熱部１０の厚みは平均厚みを示す。
【００３６】
つづいて、発熱体１００を構成する収容体２０について説明する。
収容体２０は、少なくとも一部が透気性であり、発熱部１０を収容するものである。収容体２０は、たとえば、図５に示すように２枚のシート（第１収容体シート２０１、第２収容体シート２０２）の周縁部２０３を貼り合せて構成することができる。
なお、第１収容体シート２０１は発熱部１０よりも着用者の肌側に位置されるものであり、第２収容体シート２０２は発熱部１０よりも着用者の肌から遠い側に位置されるものである。
温熱具５０が水蒸気を目又は皮膚に供給する場合、水蒸気を効率的に人の目や皮膚に与える観点から、第１収容体シート２０１は、透気性に長けているシートであることが好ましく、一方、第２収容体シート２０２は、透気性に乏しいシートであることが好ましい。すなわち、第２収容体シート２０２の透気性は第１収容体シート２０１より透気性に乏しい事がより好ましく、非通気である事がより好ましい。
【００３７】
発熱部１０が被酸化金属の酸化による発熱機能を有するものである場合、温熱具５０によって水蒸気を効率的に目や皮膚に与えるために上述のように第１収容体シート２０１と第２収容体シートの透気性を調整すると、発熱部１０においては、第１収容シート２０１側より空気を優先的に取り込み、発熱反応を進行させることとなる。そのため、フィット感と発熱反応のバランスを取り、適度に目又は皮膚を加温する観点から、第１収容シート２０１の通気度は、３，０００〜６，０００秒／１００ｍｌが好ましく、４，０００〜６，０００秒／１００ｍｌがより好ましい。
【００３８】
なお、「通気度」は、ＪＩＳ  Ｐ８１１７によって測定される値であり、一定の圧力のもとで１００ｍｌの空気が６．４５ｃｍ２の面積を通過する時間で定義される。
【００３９】
透気性シートとしては、樹脂製の多孔質シートや通気穴を有する樹脂製のシートを用いることができ、たとえば、ポリエチレン、ポリプロピレンおよびエチレン酢酸ビニル共重合体の１種または２種以上を使用することができる。
【００４０】
第２収容体シート２０２としては、実質的に酸素を透過しないものを用いることができ、たとえば、ポリエチレン、ポリブタジエン等のポリオレフィン、ポリ塩化ビニル、ポリ塩化ビリニリデン、ポリエステル、ポリエーテル、ポリスルフォンおよびポリアミドの１種または２種以上を使用することができる。
【００４１】
なお、本実施形態の温熱具５０は、酸素により酸化される被酸化性金属を有するため、通常、酸素遮断袋に封入されて保管される。
【００４２】
本実施形態の温熱具５０は、両目を覆うマスク本体部５１と、マスク本体部５１に設けられた発熱体１００と、マスク本体部５１の長手方向両端部にそれぞれ接合され、マスク本体部５１により着用者の両目を覆うように保持する一対の耳掛部５２（５２Ｌ、５２Ｒ）と、を備え、以下の条件を満たす。
（条件）
（ｉ）耳掛部５２が耳掛け用の孔５４を有し、孔５４の最大長さをＬａ（ｍｍ）とし、一方の孔５４のＬａ（ｍｍ）におけるマスク本体部５１側の端部から、他方の孔５４のＬａ（ｍｍ）におけるマスク本体部５１側の端部までの長さをＬｂ（ｍｍ）としたとき、（Ｌａ×２＋Ｌｂ）＜２８５であり、
（ｉｉ）マスク本体部５１を長手方向に４ｃｍ伸長したときの応力（Ｎ）が７０Ｎ未満であり、
（ｉｉｉ）以下の式（１）で表される、耳掛部５２の当該Ｌａ方向における応力変化率が３５％以上である。
応力変化率（％）＝｛〔１００％伸長時応力（Ｎ）〕―〔１０％戻り伸長時応力（Ｎ）〕／１００％伸長時応力（Ｎ）｝×１００        （１）
【００４３】
条件（ｉ）において、孔５４の最大長さであるＬａ（ｍｍ）とは、温熱具５０を使用する前の状態における耳掛部５２において、負荷を与えないときの長さである。温熱具５０においては、図１，２に示されるように、孔５４はＸ方向両端が円弧状になっており、当該円弧の最も深い点同士を結んだ直線が、Ｌａ（ｍｍ）となる。孔５４ＬにおけるＬａと、孔５４ＲにおけるＬａとが異なる場合、孔５４のＬａとは、両者の平均値とする。
なお、耳掛部５２が、孔５４に繋がるスリットを有している場合、当該スリットは、最大長さをＬａには含まれない。
また、図６のように孔５４の形状が、頂点をマスク本体部５１側とする涙型になっている場合には、孔５４のマスク本体部５１側の頂点と、孔５４のマスク本体部５１とは反対側の頂部とを結んだ直線がＬａ（ｍｍ）となる。
さらに、耳掛部５２の孔５４が、耳を通すための開口面積を有さないスリット（例えばＴ字形状の切れ込み）である場合、スリットの最大長さが、Ｌａ（ｍｍ）となる。
Ｌａ（ｍｍ）の下限値は、耳掛部５２を使用者の耳に掛けやすくするとともに圧迫感を低減する観点から、好ましくは２５（ｍｍ）以上であり、より好ましくは３５（ｍｍ）以上であり、さらに好ましくは４５（ｍｍ）以上であり、ことさらに好ましくは５０（ｍｍ）以上である。
一方、Ｌａ（ｍｍ）の上限値は、耳掛部５２が長すぎて耳に適切にかからなくなる違和感を抑制し、且つ温熱具５０のフィット感を良好にする観点から、好ましくは９０（ｍｍ）以下であり、より好ましくは８０（ｍｍ）以下であり、さらに好ましくは７０（ｍｍ）以下であり、ことさらに好ましくは６５（ｍｍ）以下である。
【００４４】
また、一方の孔５４ＬのＬａ（ｍｍ）におけるマスク本体部５１側の端部から、他方の孔５４ＲのＬａ（ｍｍ）におけるマスク本体部５１側の端部までの長さＬｂ（ｍｍ）は、一対の耳掛部５２を展開して温熱具５０全体を平坦にした状態において計測される長さである。図１に示されるように、温熱具５０においてＬｂは、孔５４Ｌと孔５４Ｒの最短距離となる。言い換えると、孔５４Ｌの基端側の円弧の頂点と、孔５４Ｒの基端側の円弧の頂点との間の長さとなる。
なお、耳掛部５２の孔５４が、耳を通すための開口面積を有さないスリット（例えばＴ字形状の切れ込み）である場合、一方のスリットの基端側の端部と、他方のスリットの基端側の端部との間の長さとなる。
Ｌｂ（ｍｍ）の下限値は、使用者の両目を十分に覆う観点から、好ましくは１１０（ｍｍ）以上であり、より好ましくは１２０（ｍｍ）以上であり、さらに好ましくは１３０（ｍｍ）以上である。
一方、Ｌｂ（ｍｍ）の上限値は、温熱具５０のフィット感を良好にする観点から、好ましくは２３０（ｍｍ）以下であり、より好ましくは２００（ｍｍ）以下であり、さらに好ましくは１８０（ｍｍ）以下である。
【００４５】
また、マスク本体部５１と耳掛部５２とは、一体になったもの（連なった１枚のシート）であってもよい。
【００４６】
温熱具５０は、条件（ｉ）において、（Ｌａ×２＋Ｌｂ）＜２８５を満たすものである。これにより、温熱具５０を着用者に対し、適切にフィットさせやすくなる。（Ｌａ×２＋Ｌｂ）（ｍｍ）は、温熱具５０を着用したときの、着用者の一方の耳裏から他方の耳裏までの長さに相当し、適切に制御されることで温熱具５０のフィット感を良好にできることを意図する。（Ｌａ×２＋Ｌｂ）（ｍｍ）は、２８５より小さければよく、フィット感を向上させる観点から、好ましくは２８０以下である。一方、圧迫感を低減させる観点から、（Ｌａ×２＋Ｌｂ）（ｍｍ）は、好ましくは、２５０以上であり、２６０以上、２６５以上、２７０以上の順により好ましい。
【００４７】
条件（ｉｉ）において、マスク本体部５１の長手方向とは、図１で示すＸ方向である。マスク本体部５１を長手方向に４ｃｍ伸長したときの応力（Ｎ）は、着用者が温熱具５０を着用する際に引っ張る方向において生じる応力であり、小さくなるほど、マスク本体部５１が伸張し易くなり、圧迫感を低減できることを意図する。温熱具５０において、マスク本体部５１を長手方向に４ｃｍ伸長したときの応力（Ｎ）が７０Ｎ未満であり、５０Ｎ以下とするのが好ましく、４５Ｎ以下とするのがより好ましく、３５Ｎ以下とするのがさらに好ましく、３０Ｎ以下とするのがよりさらに好ましい。これにより、マスク本体部５１に伸張性をもたせ、耳掛部５２が装着された部分や耳裏における圧迫感を低減させつつも、着用者の眉付近における圧力を高くしやすくできる。これにより、温熱具５０の横ずれを効果的に抑制できる。その結果、目元を均一に温めることができ、さらに、より広い範囲に温まり感を感じる事ができるため、全身のリラックス感も得られやすくなる。
一方、当該応力の下限値は、特に限定されないが、温熱具５０の取扱い性を良好にし、剛性や強度等を得る観点から、１０Ｎ以上であることがこのましく、１５Ｎ以上であることがより好ましく、２０Ｎ以上であることがさらに好ましい。
なお、マスク本体部５１の長手方向における伸度が４ｃｍ未満の場合、マスク本体部５１を長手方向に２ｃｍ伸長したときの応力（Ｎ）を３０Ｎ未満とするのが好ましく、２６Ｎ以下とするのがより好ましく、２４Ｎ以下とするのがさらに好ましい。
なお、マスク本体部５１を長手方向に４ｃｍ伸長するとは、マスク本体部５１内の発熱体１００を除く領域を伸長させることを意図し、袋体５３を長手方向に４ｃｍ伸長することと実質的に等しい。また、条件（ｉ）を満たすことを前提としたマスク本体部５１の約５０％の伸長率に相当する。
また、本実施形態の温熱具５０においては、マスク本体部５１は縦中央部にノッチ部５７を有するため、長手方向に伸長した際、ノッチ部５７に負荷がかかり、マスク本体部５１における応力を適切に測定できない場合が生じる。そのため、マスク本体部５１を横方向に２分割し、２等分されたマスク本体部５１の一方を用いて、測定を行うことが適切である。
【００４８】
また、条件（ｉｉｉ）において、耳掛部５２のＬａ方向とは、図１で示すＬａの長さ方向である。また、耳掛部５２のＬａ方向とは、耳掛部５２が伸長しやすい方向であることが好ましいが、Ｘ方向に平行である場合に限られない。
上記の式（１）で表される、応力変化率とは、耳掛部５２のいずれか一方をＬａ方向に伸長させた後に、耳掛部５２がもとの位置に戻ろうとする応力がどの程度であるかを意味する。すなわち、耳掛部５２を１００％伸長させた後１０％戻すときに生じる応力が高いほど、耳掛部５２の元の位置に戻ろうとする応力が高いことを意図し、当該応力変化率は低くなる。言い換えると、当該応力変化率が高いほど、いったん伸長した耳掛部５２がもとの位置に戻ろうとする応力が低くなり、その結果、着用者の耳掛部５２が装着された部分や耳裏への圧迫感を低減できるようになる。また、一方で、条件（ｉ）、（ｉｉ）と組み合わせることで、良好なフィット感が得られるようになる。
なお、応力変化率が耳掛部５２Ｌと、耳掛部５２Ｒとで異なる場合は、当該応力変化率は両者の平均値とする。
温熱具５０において、応力変化率を３５％以上とすることにより、耳掛部５２の伸長に対する回復性が低くなり、耳掛部５２が装着された部分や耳裏への圧迫感を低減しやすくなる。また、条件（ｉ）、（ｉｉ）との相乗作用によるフィット感を向上させる観点から、応力変化率は、好ましくは４０％以上であり、より好ましくは５０％以上であり、さらに好ましくは６０％以上である。一方、フィット感を保持する観点から、応力変化率は、好ましくは８０％以下であり、より好ましくは７５％以下であり、さらに好ましくは７２％以下である。
なお、耳掛部５２の当該応力変化率（％）は、耳掛部５２を構成する材料や耳掛部５２の外形、具体的には、例えば、外縁からのスリットの有無等によって、制御することができる。
【００４９】
また、耳掛部５２のＬａ方向における伸度が１００％未満の場合、以下の式（２）で表わされる５０％応力変化率を３５％以上とすることにより、耳掛部が装着された部分や耳裏への圧迫感を低減しやすくなる。同様の観点から、５０％応力変化率は、好ましくは４０％以上であり、より好ましくは４５％以上である。一方、フィット感を保持する観点から、応力変化率は、好ましくは６０％以下であり、より好ましくは５０％以下である。
５０％応力変化率（％）＝｛〔５０％伸長時応力（Ｎ）〕―〔５％戻り伸長時応力（Ｎ）〕／５０％伸長時応力（Ｎ）｝×１００      （２）
【００５０】
なお、本実施形態において、マスク本体部５１および耳掛部５２における伸長時の応力（Ｎ）は、ＪＩＳ  Ｌ１９１３を参考にした方法により測定することができる。
試料がマスク本体部５１の場合、試料幅を８０±１０ｍｍとし、当該試料を引張り試験器での初期長さを８０±１０ｍｍに設定し、引張速度３００ｍｍ／ｍｉｎにて、マスク本体部５１の長手方向に４ｃｍ伸長させた際の引張強さを測定する。
試料が耳掛部５２の場合、試料幅を８０±１０ｍｍとし、当該試料を引張り試験器での初期長さを５５±１５ｍｍに設定し、引張速度３００ｍｍ／ｍｉｎにて、Ｌａ方向に規定の長さ（１００％伸長時応力であれば、初期長さの１００％の長さ、５０％伸長時応力であれば、初期長さの５０％の長さ）伸長させた際の引張強さを測定する。
具体的には、実施例において後述する。
【００５１】
また、耳掛部５２における１０％戻り伸長時の応力（Ｎ）は、ＪＩＳ  Ｌ１９１３を参考に、試料幅を８０±１０ｍｍとし、当該試料を引張り試験器での初期長さを５５±１５ｍｍに設定し、引張速度３００ｍｍ／ｍｉｎにて、Ｌａ方向に初期長さの１００％の長さ伸長させ、その後、初期長さ１０％に相当する長さを戻した際の引張強さを測定する。同様に、５％戻り伸長時の応力（Ｎ）は上述の１０％戻り伸長時の応力と同じ測定条件下、Ｌａ方向に初期長さの５０％の長さ伸長させ、その後初期長さの５％に相当する長さを戻した際の引っ張り強さを測定する。
【００５２】
ここで、アイマスクタイプの温熱具５０においては、わずかな隙間であっても温熱効果への影響が顕著になる傾向あり、また、場合によっては、隙間から短時間に多量の酸素が入り込むことで、過剰な発熱が発生することもある。そのため、より高水準でのフィット感が求められる。一方で、フィット感と圧迫感とは、いわゆるトレードオフの関係にあるため、着用者にかかる負荷のバランスを温熱具５０全体において適切に制御することが重要となる。
本実施形態における温熱具５０において、上記の条件（ｉ）〜（ｉｉｉ）をすべて満たすことによって、温熱具５０が着用者の眉付近において密着しやすくなり、フィット感を向上させることができるとともに、着用者の耳掛部５２が装着された部分や耳裏にかかる負荷を低減し、圧迫感を抑制できる。その結果、側臥位になった場合でも、温熱具５０の位置ずれを効果的に抑制でき、温熱具５０による温熱効果を十分に得ることができるようになる。また、フィット感の向上に伴い、温熱具５０全体において、より均一な温熱効果が得られるようになる。さらに、温熱具５０によれば、目元の位置ずれが抑制されることで、より広い範囲に温まり感を感じる事ができ、全身のリラックス感も得られやすくなる。
【００５３】
またさらに、温熱具５０は、以下の構成を備えることにより、より効果的にフィット感と圧迫感とのバランスを向上しつつ、良好な温熱効果を得ることができる。
【００５４】
温熱具５０において、マスク本体部５１の長手方向中央における短手方向の長さをＬｃ（ｍｍ）としたとき、Ｌｃ／（Ｌａ×２＋Ｌｂ）が、０．２以上０．４以下であることが好ましい。すなわち、温熱具５０の縦方向と横幅方向の長さを制御することで、温熱具５０を着用者の眉付近においてフィットさせやすくできる。
なお、本実施形態の温熱具５０において、Ｌｃとは、図１に示すように、マスク本体部５１の縦中央線のうち、スリットを除く部分の長さである。
Ｌｃ（ｍｍ）の下限値は、使用者の両目を十分に覆う観点から、好ましくは５０（ｍｍ）以上であり、より好ましくは６０（ｍｍ）以上であり、さらに好ましくは７０（ｍｍ）以上である。
一方、Ｌｃ（ｍｍ）の上限値は、温熱具５０のフィット感を良好にし、もたつき感を低減する観点から、好ましくは１８０（ｍｍ）以下であり、より好ましくは１５０（ｍｍ）以下であり、さらに好ましくは１１０（ｍｍ）以下であり、ことさらに好ましくは１００（ｍｍ）以下である。
【００５５】
温熱具５０において、耳掛部５２におけるＬａ方向における１００％伸長時応力（Ｎ）が２以上であることが好ましく、３以上がより好ましく、３．５以上がさらに好ましい。これにより、使用時において耳掛部５２を伸長しやすくし、耳掛部５２を耳にかけやすくするとともに、耳掛部５２が装着された部分や耳裏への圧迫感を抑制しやすくなる。
一方、耳掛部５２におけるＬａ方向における１００％伸長時応力（Ｎ）の上限値は、特に限定されないが、使用時において耳掛部５２を伸長しやすくし、且つ耳掛部５２を耳にかけやすくする観点、つまり圧迫感を低減する観点から、１５以下が好ましく、１０以下がより好ましい。
【００５６】
以上、図面を参照ながら本発明の実施形態について述べたが、これらは本発明の例示であり、上記以外の様々な構成を採用することもできる。
【００５７】
上述した実施形態に関し、本発明はさらに以下のマスク、或いは用途等を開示する。本発明のマスクは、前述した実施形態に制限されることなく、本発明の趣旨を逸脱しない限り適宜変更可能である。
上記の実施形態においては、マスクの機能として酸化還元反応による発熱体１００について説明したが、これに限られず、他の方法によって加温してもよく、また、保温、保湿、保冷、急冷、遮光、芳香、抗菌、押圧および防塵機能等を更に有してもよい。具体的なマスクとしては、温熱具５０のような蒸気温熱機能を有するマスクの他、例えば、（１）更に遮光性の部材を用い、光を遮る目的の安眠マスク、（２）保温機能を有する部材を用い、電子レンジなどの加熱器でマスクを温めてから目を温めることのできるマスク、（３）保冷剤、冷感剤などの冷却部材と、発熱機能を組み合わせ、発熱による加温と共に目を冷やすこともできるマスク、（４）香り成分を有する部材を発熱体と共に用い、リラックス効果を与えるマスク、（５）ビーズや球体を備え、目に圧迫感を与えて指圧効果を奏するマスク、（６）電気などで振動させることによりマッサージ効果を奏するマスク、などに変更することが可能である。
【００５８】
以下、本発明の参考形態の一例を示す。
＜１＞両目を覆うマスク本体と、前記マスク本体に設けられた発熱体と、前記マスク本体の長手方向両端部にそれぞれ接合され、当該マスク本体により着用者の両目を覆うように保持する一対の耳掛け部と、を備え、以下の条件を満たす、マスク。
（条件）
（ｉ）前記耳掛け部が耳掛け用の開口部を有し、当該開口部の最大長さをＬａ（ｍｍ）とし、一方の当該開口部のＬａ（ｍｍ）における前記マスク本体側の端部から、他方の当該開口部のＬａ（ｍｍ）における前記マスク本体側の端部までの長さをＬｂ（ｍｍ）としたとき、（Ｌａ×２＋Ｌｂ）＜２８５であり、
（ｉｉ）前記マスク本体を長手方向に４ｃｍ伸長したときの応力が７０Ｎ未満であり、
（ｉｉｉ）以下の式（１）で表される、前記耳掛け部の前記Ｌａ方向における応力変化率が３５％以上である。
応力変化率（％）＝｛〔１００％伸長時応力（Ｎ）〕―〔１０％戻り伸長時応力（Ｎ）〕／１００％伸長時応力（Ｎ）｝×１００        （１）
＜２＞前記マスク本体の長手方向中央における短手方向の長さをＬｃ（ｍｍ）としたとき、
Ｌｃ／（Ｌａ×２＋Ｌｂ）が、０．２以上０．４以下である、＜１＞に記載のマスク。
＜３＞前記耳掛け部の前記Ｌａ方向における１００％伸長時応力（Ｎ）が２以上である、＜１＞または＜２＞に記載のマスク。
＜４＞前記耳掛け部は不織布である、＜１＞乃至＜３＞のいずれかに記載のマスク。
＜５＞前記マスク本体を長手方向に４ｃｍ伸長したときの応力が１０Ｎ以上、７０Ｎ未満である、＜１＞乃至＜４＞のいずれかに記載のマスク。
＜６＞前記マスク本体を長手方向２ｃｍ伸長したときの応力が３０Ｎ未満である、＜１＞乃至＜５＞のいずれかに記載のマスク。
＜７＞上記の式（１）で表される、前記耳掛け部の前記Ｌａ方向における応力変化率が、好ましくは３５％以上８０％以下であり、より好ましくは４０％以上８０％以下であり、さらに好ましくは５０％以上７５％以下である、＜１＞乃至＜６＞のいずれかに記載のマスク。
＜８＞以下の式（２）で表される、前記耳掛け部の前記Ｌａ方向における応力変化率が、好ましくは３５％以上６０％以下であり、より好ましくは４０％以上６０％以下であり、更に好ましくは４５％以上５０％以下である、＜１＞乃至＜７＞のいずれかに記載のマスク。
応力変化率（％）＝｛〔５０％伸長時応力（Ｎ）〕―〔５％戻り伸長時応力（Ｎ）〕／５０％伸長時応力（Ｎ）｝×１００        （２）
＜９＞前記耳掛部は、前記マスク本体の長手方向の両端部近傍それぞれから斜め下向きに展開される、＜１＞乃至＜８＞のいずれかに記載のマスク。
＜１０＞前記耳掛部をマスク本体から外側に向かって開いたとき、前記耳掛部は、平面視においてハの字形状となっている、＜１＞乃至＜９＞のいずれかに記載のマスク。
＜１１＞前記耳掛部をマスク本体から外側に向かって開いたとき、前記開口部がマスク本体の長手方向に対して下方に傾いて延びている、＜１＞乃至＜１０＞のいずれかに記載のマスク。
＜１２＞前記発熱体がシート状である、＜１＞乃至＜１１＞のいずれかに記載のマスク。
＜１３＞前記発熱体は、被酸化性金属の酸化反応により水蒸気を発生する発熱体である、＜１＞乃至＜１２＞のいずれかに記載のマスク。
＜１４＞前記発熱体が、発熱部と、当該発熱部を内部に収容する収容体と、を備える、＜１３＞に記載のマスク。
＜１５＞前記発熱部が被酸化性金属、炭素成分、吸水剤、および水を含むものである＜１４＞に記載のマスク。
＜１６＞前記発熱部の厚みが、好ましくは０．２ｍｍ以上であり、より好ましくは０．４ｍｍ以上であり、さらに好ましくは０．５ｍｍ以上であり、一方、好ましくは５ｍｍ以下であり、より好ましくは３ｍｍ以下であり、さらに好ましくは２ｍｍ以下である、＜１４＞または＜１５＞に記載のマスク。
＜１７＞前記収容体が、第１収容体シートと、第２収容体シートと、からなり、前記第１収容体シートの通気度が３０００〜６０００秒／１００ｍｌであり、かつ、前記第２収容体シートが非通気である、＜１４＞乃至＜１６＞いずれかに記載のマスク。
＜１８＞前記発熱体が一対であり、各々により両目が覆われるように配置されている、＜１＞乃至＜１７＞のいずれかに記載のマスク。
＜１９＞＜１＞乃至＜１８＞いずれかに記載のマスクにより両目が覆われるように使用する、マスクの使用方法。
【実施例１】
【００５９】
以下、実施例により本発明をさらに詳細に説明する。しかしながら本発明の範囲は、かかる実施例に制限されない。
【００６０】
＜実施例１＞
以下の手順に従い、表２に示す構成のアイマスクタイプの温熱具を作製した。
【００６１】
〔発熱粉体水分散物の調製〕
表１で示す組成比で、材料を用意し、次の手順で調製した。キサンタンガムを水に溶解し、次いでリン酸３カリウム、水酸化カリウムを溶解して水溶液を用意した。一方で、鉄粉、活性炭をプレ混合した粉体を用意し、上記水溶液に、プレ混合粉体を入れ、ディスクタービン型攪拌羽根で１５０ｒｐｍ、１０分間攪拌してスラリー状の発熱粉体水分散物を得た。なお、塩化ナトリウムは後述する第１吸水シートの表面に該発熱粉体水分散物を塗布後、塗工面上に散布した。
【００６２】
【表１】
2019118811.tif 000003
【００６３】
〔発熱部の作製〕
第１吸水シートとして、木材パルプ製の紙（坪量２０ｇ／ｍ２、伊野紙株式会社製）と吸水性ポリマー（球状、平均粒子径３００μｍ、アクアリックＣＡ、株式会社日本触媒製、坪量７０ｇ／ｍ２）と木材パルプ製の紙（坪量３０ｇ／ｍ２、伊野紙株式会社製）を積層して一体化したポリマーシート（最大吸水量の１０〜４５質量％の水を吸収した状態での通気度２秒／１００ｍｌ）を用い、第２吸水シートとして、ポリエチレンラミネート紙（ニットク株式会社製）木材パルプ製の紙（坪量５０ｇ／ｍ２、伊野紙株式会社製）を用いた。
第１吸水シートとして用いるポリマーシートを用意し、前述のとおりに調製した発熱粉体水分散物を２５ｃｍ２（５ｃｍ×５ｃｍ）の第１吸水シートの表面に厚み略３ｍｍ（塗工量１．７ｇ）で塗工し、塗工面上に、食塩（日本薬局方塩化ナトリウム：富田製薬株式会社製）を０．０８９ｇ散布し、塗工面を第２吸水シート２５ｃｍ２（５ｃｍ×５ｃｍ）で被覆することで、発熱部を作製した。
【００６４】
〔発熱体の作製〕
収容体における第１収容体シートを、炭酸カルシウムを含む多孔質の延伸ポリエチレン透湿性フィルム（ＪＩＳ  Ｐ８１１７による通気度３，５００秒）から構成した。第２収容体シートは、ポリエチレン製の非透湿フィルムから構成した。該第２収容体シートの一面に吸水紙（坪量３５ｇ／ｍ２）を積層して、上述のシート状発熱部の１枚を間にして、第１収容体シートと第２収容体シートとを、吸水紙が外方を向くように重ね、周縁部においてシートどうしを接合し、矩形の発熱体を得た。
【００６５】
〔温熱具の作製〕
第１袋体シートは、ポリプロピレン製不織布（ニードルパンチ法、坪量８０ｇ／ｍ２）、第２袋体シートは、ポリエチレンテレフタレート製不織布（エアスルー法、坪量３０ｇ／ｍ２）を用い、図３に示すように、両袋体シートの間に、上記で得られた発熱体を２個挟み、周縁部および縦中心線近傍において第１袋体シート、第２袋体シートどうしを接合し、マスク本体を作成した。さらに、第１袋体シートの外側面に、ポリプロピレン製不織布（ＳＭＳ法、坪量４０ｇ／ｍ２）を用いて耳掛け部を取り付け、図１に示すようなアイマスクタイプの温熱具を得た。なお、以上の各操作は、酸素が存在しない雰囲気下で行った。また、開口部の外端部近傍からマスク本体の縦方向下向きに延びる下向きスリット（１．２ｃｍ）を設けた。
得られた温熱具におけるＬａ（ｍｍ）、Ｌｂ（ｍｍ）、およびＬｃ（ｍｍ）は、表２に示す通りであった。
【００６６】
＜実施例２＞
Ｌａ（ｍｍ）、Ｌｂ（ｍｍ）、およびＬｃ（ｍｍ）が、表２に示す通りになるように温熱具を作製した以外は、実施例１と同様にして、温熱具を得た。
【００６７】
＜実施例３＞
Ｌａ（ｍｍ）、Ｌｂ（ｍｍ）、およびＬｃ（ｍｍ）が、表２に示す通りになるように温熱具を作製し、耳掛け部を、ポリプロピレン製不織布（ＳＭＳ法、坪量５０ｇ／ｍ２）とした以外は、実施例１と同様にして、温熱具を得た。
【００６８】
＜実施例４＞
Ｌａ（ｍｍ）、Ｌｂ（ｍｍ）、およびＬｃ（ｍｍ）が、表２に示す通りになるように温熱具を作製した以外は、実施例１と同様にして、温熱具を得た。
【００６９】
＜実施例５＞
Ｌａ（ｍｍ）、Ｌｂ（ｍｍ）、およびＬｃ（ｍｍ）が、表２に示す通りになるように温熱具を作製した以外は、実施例１と同様にして、温熱具を得た。
【００７０】
＜実施例６＞
Ｌａ（ｍｍ）、Ｌｂ（ｍｍ）、およびＬｃ（ｍｍ）が、表２に示す通りになるように温熱具を作製し、耳掛け部を、ポリウレタン製不織布（スパンボンド法、坪量３０ｇ／ｍ２）とした以外は、実施例１と同様にして、温熱具を得た。
【００７１】
＜実施例７＞
Ｌａ（ｍｍ）、Ｌｂ（ｍｍ）、およびＬｃ（ｍｍ）が、表２に示す通りになるように温熱具を作製し、耳掛け部を、ポリウレタン製不織布（スパンボンド法、坪量６０ｇ／ｍ２）とした以外は、実施例１と同様にして、温熱具を得た。
【００７２】
＜実施例８＞
Ｌａ（ｍｍ）、Ｌｂ（ｍｍ）、およびＬｃ（ｍｍ）が、表２に示す通りになるように温熱具を作製し、マスク本体の第１袋体シートを、ポリプロピレン製不織布（スパンボンド法、坪量３０ｇ／ｍ２）とした以外は、実施例１と同様にして、温熱具を得た。
【００７３】
＜実施例９＞
Ｌａ（ｍｍ）、Ｌｂ（ｍｍ）、およびＬｃ（ｍｍ）が、表２に示す通りになるように温熱具を作製し、マスク本体の第１袋体シートを、ポリプロピレン製不織布（ＳＭＳ法、坪量５０ｇ／ｍ２）とした以外は、実施例１と同様にして、温熱具を得た。
【００７４】
＜実施例１０＞
耳掛け部において、スリットを形成しなかった以外は、実施例１と同様にして、温熱具を得た。
【００７５】
＜比較例１＞
Ｌａ（ｍｍ）、Ｌｂ（ｍｍ）、およびＬｃ（ｍｍ）が、表２に示す通りになるように温熱具を作製した以外は、実施例１と同様にして、温熱具を得た。
【００７６】
＜比較例２＞
Ｌａ（ｍｍ）、Ｌｂ（ｍｍ）、およびＬｃ（ｍｍ）が、表２に示す通りになるように温熱具を作製し、マスク本体の第１袋体シートを、ポリエチレンテレフタレート製不織布（ニードルパンチ法、坪量９０ｇ／ｍ２）とし、耳掛け部を、ポリプロピレン製不織布（ＳＭＳ法、４０ｇ／ｍ２、細繊維）とし、耳掛け部において、スリットを形成しなかった以外は、実施例１と同様にして、温熱具を得た。
【００７７】
＜比較例３＞
Ｌａ（ｍｍ）、Ｌｂ（ｍｍ）、およびＬｃ（ｍｍ）が、表２に示す通りになるように温熱具を作製し、マスク本体の第１袋体シートを、ポチエチレンテレフタレート製不織布（ニードルパンチ法、坪量９０ｇ／ｍ２）とし、耳掛け部を、ポリプロピレン製不織布（ＳＭＳ法、坪量４０ｇ／ｍ２、中央にフィルム層）とした以外は、実施例１と同様にして、温熱具を得た。
【００７８】
＜比較例４＞
Ｌａ（ｍｍ）、Ｌｂ（ｍｍ）、およびＬｃ（ｍｍ）が、表２に示す通りになるように温熱具を作製し、マスク本体の第１袋体シートを、ポリエチレンテレフタレート製不織布（ニードルパンチ法、坪量９０ｇ／ｍ２）とした以外は、実施例１と同様にして、温熱具を得た。
【００７９】
＜比較例５＞
Ｌａ（ｍｍ）、Ｌｂ（ｍｍ）、およびＬｃ（ｍｍ）が、表２に示す通りになるように温熱具を作製し、耳掛け部を、ポリプロピレン製不織布（ＳＭＳ法、坪量４０ｇ／ｍ２、細繊維）とし、耳掛け部において、スリットを形成しなかった以外は、実施例１と同様にして、温熱具を得た。
【００８０】
以上のようにして得られた各温熱具を用いて、以下の評価を行った。結果を表２に示す。
【００８１】
（評価）
・マスク本体の伸張性
まず、温熱具から一対の耳掛部を剥離し、マスク本体を縦中央線で二等分にした。次に、二等分されたマスク本体の一方を用い、以下の装置を用いて、マスク本体の長手方向両端部をチャックにより挟み、応力を加えて、３００ｍｍ／分の速さで、長手方向に４ｃｍ伸長したときの荷重（Ｎ）を測定した。なお、マスク本体を挟む際は、発熱体を除くようにした。また、試料幅は８０±１０ｍｍであり、チャック間隔は８０±１０ｍｍとなるよう調整した。
装置名：「テンシロン万能試験機」
製造元：「株式会社オリエンテック」
【００８２】
・耳掛部の伸長性
まず、温熱具から一対の耳掛部を剥離した。マスク本体と耳掛部が一体になったもの（連なった１枚のシート）の場合、孔５４Ｌの基端側の円弧の頂点から５ｍｍ内側を切り落とす。次に、一方の耳掛け部を用い、以下の装置を用いて、耳掛部のＬａ方向両端部をチャックにより挟み、応力を加えて、３００ｍｍ／分の速さで、Ｌａ方向に１００％伸長させ、その後、初期長さ１０％に相当する長さを戻した際の引張強さを測定した。また、試料幅は８０±１０ｍｍであり、チャック間隔は５５±１５ｍｍとなるよう調整した。
装置名：「テンシロン万能試験機」
製造元：「株式会社オリエンテック」
得られた測定結果から、以下の式（１）より、耳掛部のＬａ方向における応力変化率（％）を算出した。
応力変化率（％）＝｛〔１００％伸長時応力（Ｎ）〕―〔１０％戻り伸長時応力（Ｎ）〕／１００％伸長時応力（Ｎ）｝×１００        （１）
【００８３】
・官能評価
熟練したパネリスト１０名で各温熱具を３０分間着用し、以下の基準で評価し、１０名の平均値を算出した。
［フィット感］
５：良好なフィット感がある
４：やや良好なフィット感がある
３：フィット感がある
２：わずかにフィット感がある
１：フィット感がほとんどない
［圧迫感のなさ］
５：圧迫感がまったくない
４：圧迫感がほとんどない
３：圧迫感がない
２：圧迫感がややある
１：圧迫感がある
［目の周りの温まり感（仰臥位）］
５：目の周りの温まり感が十分ある
４：目の周りの温まり感がやや十分ある
３：目の周りの温まり感がある
２：目の周りの温まり感がやや足りない
１：目の周りの温まり感が足りない
［目の周りの温まり感（側臥位）］
５：目の周りの温まり感が十分ある
４：目の周りの温まり感がやや十分ある
３：目の周りの温まり感がある
２：目の周りの温まり感がやや足りない
１：目の周りの温まり感がない
［リラックス感］
５：リラックス感が十分ある
４：リラックス感がやや十分ある
３：リラックス感がある
２：リラックス感がやや足りない
１：リラックス感がない
【００８４】
【表２】
2019118811.tif 000004
【００８５】
実施例２と比較例１で作成した温熱具を室温環境下（２０℃、５５％）にて側臥位で１０分装着した。その後の温熱具を外してすぐの顔の皮膚温度をサーモスタットを用いて測定した。
３８℃以上となる面積を画像解析により計算したところ、実施例２では３１．８ｃｍ２であったのに対し、比較例１では１０．６ｃｍ２であった。
【符号の説明】
【００８６】
１０    発熱部
２０    収容体
５０    温熱具
５１    マスク本体部
５２    耳掛部
５２Ｌ    耳掛部
５２Ｒ    耳掛部
５３    袋体
５４    孔
５４Ｌ    孔
５４Ｒ    孔
５７    ノッチ部
１００    発熱体
２０１    第１収容体シート
２０２    第２収容体シート
２０３    周縁部
５３１    第１袋体シート
５３２    第２袋体シート
５７１    ノッチ部
５７２    ノッチ部
Ｘ    長手方向
Ｙ    幅方向
【図１】
2019118811.tif 000005
【図２】
2019118811.tif 000006
【図３】
2019118811.tif 000007
【図４】
2019118811.tif 000008
【図５】
2019118811.tif 000009
【図６】
2019118811.tif 000010